(57)【要約】  共通のコアリム(7)に軸方向に上下に配置された少なくとも２つのコイル(1,4)を有する装置が提案され、各コイルは、半径方向に上下に配置された少なくとも２つの巻き線を有し、障壁が巻き線の間に設けられている。隣接するコイルの障壁は、互いに半径方向にオフセットされ、障壁の端部は、互いにくし状に係合する。あるいは、隣接するコイルの障壁の対向する部分は、交互に短縮、および延長され、一方のコイルの短縮された障壁は、他方のコイルの延長された障壁に対向し、逆に、一方のコイルの延長された障壁は、他方のコイルの短縮された障壁に対向し、各コイルにおいて、短縮された障壁は、延長された障壁の次にある。あるいは、いくつかの障壁は、巻き線の端面の周囲に係合する絶縁環の形をとる。
2013522919.tif 000002
【特許請求の範囲】
【請求項１】
共通のコアリム（７）に軸方向に上下に配置された少なくとも２つのコイル（１，４）を備える装置であって、各コイルは、半径方向に上下に配置された少なくとも２つの巻き線（２，３，５，６）を有し、かつ前記巻き線（２，３，５，６）の間に障壁が設けられ、
隣接するコイル（１，４）の前記障壁（９〜１３，１５〜１９）が、互いに対して半径方向にオフセットされ、かつ前記障壁（９〜１３，１５〜１９）の端部が互いにくし状に係合することを特徴とする、装置。
【請求項２】
共通のコアリム（７）に軸方向に上下に配置された少なくとも２つのコイル（１，４）を備える装置であって、各コイルが半径方向に上下に配置された少なくとも２つの巻き線（２，３，５，６）を有し、かつ前記巻き線（２，３，５，６）の間に障壁が設けられ、
隣接するコイル（１，４）の前記障壁（２１〜２５，２７〜３１）の互いに直接対向する部分が交互に短縮および延長され、その結果、一方のコイル（１）の短縮された障壁（２１，２３，２５）は、常に他方のコイル（４）の延長された障壁（２７，２９，３１）に対向し、かつ逆に、前記一方のコイル（１）の延長された障壁（２２，２４）は、常に前記他方のコイル（４）の短縮された障壁（２８，３０）対向し、かつ各コイル（１，４）において、短縮された障壁は常に延長された障壁の次にくることを特徴とする、装置。
【請求項３】
共通のコアリム（７）に軸方向に上下に配置された少なくとも２つのコイル（１，４）を備える装置であって、各コイルが半径方向に上下に配置された少なくとも２つの巻き線（２，３，５，６）を有し、かつ前記巻き線（２，３，５，６）の間に障壁が設けられ、
いくつかの前記障壁が絶縁環（３４／３５，３８／３９，４３／４４，４７／４８）として設計され、該絶縁環は、前記巻き線（２，３，５，６）の端面の周囲にさらに係合し、端面は、巻き線軸（Ｗ）に垂直に配置されていることを特徴とする、装置。
【請求項４】
前記障壁（９〜１３，１５〜１９，２１〜２５，２７〜３１，３３〜４０，４２〜４９）が、前記コイル（１，４）に巻きつき、したがって該障壁は、前記コイルの形に自動的に追随することを特徴とする、請求項１〜３のいずれか一項に記載の装置。
【請求項５】
前記障壁（９〜１３，１５〜１９，２１〜２５，２７〜３１，３３〜４０，４２〜４９）が予め形成された部品として設計され、それぞれの場合に前記コイル（１，４）の形状および寸法に合致することを特徴とする、請求項１〜３のいずれか一項に記載の装置。
【請求項６】
外周に沿って形成された間隔を維持するために、内側巻き線（２，５）、個々の障壁（９〜１３，１５〜１９，２１〜２５，２７〜３１，３３〜４０，４２〜４９）および外側巻き線（３，６）の間にブロックが配置されることを特徴とする、請求項１〜３のいずれか一項に記載の装置。
【発明の詳細な説明】
【技術分野】
【０００１】
本発明は、共通のコアリムに軸方向に上下に配置された少なくとも２つのコイルを備える装置に関し、各コイルは、半径方向に上下に配置された少なくとも２つの巻き線を有し、かつ障壁が巻き線の間に設けられている。
【０００２】
用途の１つは、コイルおよび変圧器であり、特に乾式変圧器である。
【背景技術】
【０００３】
変圧器の場合、コアリムに軸方向に上下に２つ以上のコイルを配置し、各コイルが内側巻き線、または低電圧巻き線、および外側巻き線、または高電圧巻き線を有することが普通である。十分な絶縁耐力に必要な２つのコイルの間の空間は、コイルの連結によって計算される。さらに、障壁は通常コイルの内側巻き線および外側巻き線の間に配置され、障壁は、２つのコイルの間の電気のフラシュオーバを防ぐことを目的としている。
【０００４】
この目的のために、図４は、従来技術による少なくとも２つのコイルを備える装置の横断面を示す。コアリム７が示され、その上に第１コイル１および第２コイル４が軸方向に上下に配置されている。第１コイル１は、半径方向に上下に配置された２つの巻き線２，３を有し、巻き線２はまた内側巻き線または低電圧巻き線と呼ばれ、巻き線３は、また外側巻き線または高電圧巻き線と呼ばれる。第２コイル４は、半径方向に上下に配置された２つの巻き線５，６を有し、巻き線５はまた内側巻き線または低電圧巻き線と呼ばれ、巻き線６はまた、外側巻き線または高電圧巻き線と呼ばれる。
【０００５】
２つの巻き線２，３の間の電気のフラッシュオーバを確実に防ぐために、複数の障壁５１が第１コイル１の内側巻き線２および外側巻き線３の間に配置される。同様に、巻き線５，６の間の電気のフラッシュオーバを確実に防ぐために、複数の障壁５２が第２コイル４の内側巻き線５および外側巻き線６の間に配置される。
【０００６】
コイルの連結および電圧差に応じて決定される２つのコイル１，４の間の軸方向の間隔は、Ａ１で示される（内側巻き線２，５の間で測定される）。巻き線の軸Ｗに垂直に配置された障壁突出量、つまり障壁が巻き線の端面を越えて突出する量は、Ｂで示される（巻き線３および障壁５１の間、および巻き線６および障壁５２の間で測定される）。
【０００７】
特に高電圧または高電圧差においては、個々のコイルの巻き線を越える必要とされる障壁突出量は、比較的大きいため、コアリムの延長をもたらす−必要なコアリム長さＬ１を参照。
【発明の概要】
【発明が解決しようとする課題】
【０００８】
したがって本発明によって取り組まれる課題は、要求される寸法に対して最適化された、共通のコアリムに軸方向に上下に配置された少なくとも２つのコイルを備える装置を提供することである。
【課題を解決するための手段】
【０００９】
請求項１の特徴部の前の節に関連する第１実施形態によると、この課題は、隣接するコイルの障壁が互いに対して半径方向にオフセットされ、かつ障壁の端分がくし状に互いに係合している本発明によって解決される。
【００１０】
請求項２の特徴部の前の節に関連する第２実施形態によると、この課題は、隣接するコイルの障壁の互いに直接対向する部分が交互に短縮および延長され、その結果、一方のコイルの短縮された障壁は、常に他方のコイルの延長された障壁に対向し、かつ逆に一方のコイルの延長された障壁は、常に他方のコイルの短縮された障壁に対向し、かつ各コイルにおいて、短縮された障壁は常に延長された障壁の次にある本発明によって解決される。
【００１１】
請求項３の特徴部の前の節に関連する第３実施形態によると、この課題は、いくつかの障壁が絶縁環として設計され、さらに巻き線の端面の周囲に係合し、その端面は、巻き線軸に垂直に配置される本発明によって解決される。
【００１２】
本発明によって達成可能な利点は、特にコイルまたは変圧器のコアリム長さを減少させることができ、それにより、コイルまたは変圧器を全体としてよりコンパクトな設計にすることができるということにある。障壁の装置は、互いに対するコイルの軸方向の間隔が減少されるにもかかわらず、外側にある巻き線から内側にある巻き線への電気のフラッシュオーバが回避されるように設計される。
【００１３】
本発明の実施形態は、従属請求項に示される。
【００１４】
本発明は、図面に示された実施形態を参照して以下に説明される。
【図面の簡単な説明】
【００１５】
【図１】少なくとも２つのコイルを備える第１実施形態による最適化された装置の横断面を示す。
【図２】少なくとも２つのコイルを備える第２実施形態による最適化された装置の横断面を示す。
【図３】少なくとも２つのコイルを備える第３実施形態による最適化された装置の横断面を示す。
【図４】少なくとも２つのコイルを備える従来技術による装置の横断面を示す。
【発明を実施するための形態】
【００１６】
図１は、少なくとも２つのコイルを備える、第１実施形態による最適化された装置の横断面を示す。コアリム７が示され、そこに第１コイル１および第２コイル４が軸方向に上下に配置されている。第１コイル１は、半径方向に上下に配置された２つの巻き線２，３を有し、巻き線２はまた、内側巻き線と呼ばれ、かつ巻き線３はまた、外側巻き線と呼ばれる。第２コイル４は、半径方向に上下に配置された２つの巻き線５，６を有し、巻き線５はまた、内側巻き線と呼ばれ、かつ巻き線６はまた、外側巻き線と呼ばれる。コアリム７の中央軸は、同時に巻き線軸Ｗである。
【００１７】
障壁９，１０，１１，１２，１３は、２つの巻き線２，３の間の電気のフラッシュオーバを確実に防ぐために、第１コイル１の内側巻き線２および外側巻き線３の間に配置される。同様に、障壁１５，１６，１７，１８，１９は、２つの巻き線５，６の間の電気のフラッシュオーバを確実に防ぐために、第２コイル４の内側巻き線５および外側巻き線６の間に配置される。
【００１８】
ここで、障壁が互いに接触することなく２つのコイル１，４が軸方向に共に近づくように動くことができる方法で、障壁９〜１３および１５〜１９が直径−コアリムの中央軸が巻き線軸Ｗである−に配置される。明らかなように、隣接するコイルの障壁は、互いに対して半径方向にオフセットされて配置され、かつ障壁９〜１３および１５〜１９の端部は、互いにくし状に係合する。隣接するコイル１，４の障壁の間に重複部分Ｕが形成される。障壁突出量Ｂは、ここでは図４による実施形態から変化しない。軸方向間隔Ａ１（図４参照）と比較すると、好都合に軸方向間隔Ａ２は減少する。それに対応して、コアリムの長さＬ２が減少する。
【００１９】
図２は、少なくとも２つのコイルを備える第２実施形態による最適化された装置の横断面を示す。コアリム７が示され、そこに、第１コイル１および第２コイル４が軸方向に上下に配置されている。第１コイル１は、半径方向に上下に配置された２つの巻き線２，３を有し、巻き線２はまた、内側巻き線と呼ばれ、かつ巻き線３はまた、外側巻き線と呼ばれる。第２コイル４は、半径方向に上下に配置された２つの巻き線５，６を有し、巻き線５はまた内側巻き線と呼ばれ、かつ巻き線６はまた、外側巻き線と呼ばれる。
【００２０】
障壁２１，２２，２３，２４，２５は、２つの巻き線２，３の間の電気のフラッシュオーバを確実に防ぐために、第１コイル１の内側巻き線２および外側巻き線３の間に配置される。同様に、障壁２７，２８，２９，３０，３１は、巻き線５，６の間の電気のフラッシュオーバを確実に防ぐために、第２コイル４の内側巻き線５および外側巻き線６の間に配置される。
【００２１】
ここで、２つのコイル１，４の障壁２１〜２５および２７〜３１の互いに直接対向する部分は、交互に短縮および延長され、その結果、各コイルにおいて一方のコイルの短縮された障壁は、他方のコイルの延長された障壁に対向し、かつ短縮された障壁は、延長された障壁の次にくる。隣接するコイル１，４の障壁の間に重複部分が存在する。このように、２つのコイル１，４は、障壁が互いに接触することなく軸方向に共に近づくように移動することができる。延長された障壁の障壁突出量Ｂは、ここでは、図４の実施形態の障壁突出量Ｂに一致する。短縮された障壁２１，２８，２３，３０，２５は、対向する障壁が互いに接触することなく、延長された障壁２７，２２，２９，２４，３１に直接対向する。軸方向間隔Ａ１（図４参照）と比較すると、好都合に軸方向間隔Ａ２は減少する。それに対応して、コアリムの長さＬ２が減少する。
【００２２】
図３は、少なくとも２つのコイルを備える第３実施形態によって最適化された装置の横断面を示す。コアリム７が示され、そこに第１コイル１および第２コイル４が軸方向に上下に配置される。第１コイル１は、半径方向に上下に配置された２つの巻き線２，３を有し、巻き線２はまた内側巻き線と呼ばれ、かつ巻き線３はまた外側巻き線と呼ばれる。第２コイル４は、半径方向に上下に配置された２つの巻き線５，６を有し、巻き線５はまた内側巻き線と呼ばれ、かつ巻き線６はまた、外側巻き線と呼ばれる。
【００２３】
２つの巻き線２，３の間の電気のフラッシュオーバを確実に防ぐために、障壁３３，３６，３７，４０および障壁３４／３５，３８／３９としての絶縁環が第１コイル１の内側巻き線２および外側巻き線３の間に配置される。同様に、２つの巻き線５，６の間の電気のフラッシュオーバを確実に防ぐために、障壁４２，４５，４６，４９および障壁４３／４４，４７／４８としての絶縁環が第２コイル４の内側巻き線５および外側巻き線６の間に配置される。絶縁環３４／３５は、さらに内側巻き線２の巻き線軸Ｗに垂直の端面の周囲に係合し、絶縁環３８／３９は、さらに外側巻き線３の巻き線軸Ｗに垂直の端面の周囲に係合し、絶縁環４３／４４は、さらに内側巻き線５の端面の周囲に係合し、かつ絶縁環４７／４８は、さらに外側巻き線６の端面の周囲に係合する。軸方向間隔Ａ１（図４参照）と比較して、軸方向間隔Ａ３は好都合に減少する。それに対応して、コアリムの長さＬ３は、減少する。
【００２４】
ごく大まかにいえば、以下の点が上記で説明された実施形態に適用される。
−  上述の方策は、円形、卵形、または長方形断面を有するコイル１，４に適用することができる。
−  障壁９〜１３，１５〜１９，２１〜２５，２７〜３１，３３〜４０，４２〜４９は、電気絶縁プラスチックから形成される。
−  ここでは連続的な沿面経路が設けられないように、隣接するコイルの障壁９〜１３，１５〜１９，２１〜２５，２７〜３１，３３〜４０，４２〜４９は、接触しないようになっている。
−  障壁９〜１３，１５〜１９，２１〜２５，２７〜３１，３３〜４０，４２〜４９コイル１，４に巻きつくことができ、したがって自動的にコイルの形に追随する。あるいは、障壁９〜１３，１５〜１９，２１〜２５，２７〜３１，３３〜４０，４２〜４９は、それぞれの場合にコイル１，４の形および寸法に合致するように、予め形成された部品として設計されることができる。
−  外周に沿って形成された間隔を維持するために、内側巻き線２，５、個々の障壁９〜１３，１５〜１９，２１〜２５，２７〜３１，３３〜４０，４２〜４９および外側巻き線３，６の間にブロックが配置される。
−  図面は、本発明による原理を説明するために多少歪められており、コイル／巻き線および巻き線の間の描かれた間隔の寸法に関して縮尺は異なる。
−  前述の実施形態において、各場合の５つの障壁は、一例として用いられる。障壁の数の上限はない。図１に示す実施形態は、１つの障壁で機能し、図２および図３に示す実施形態は、２つの障壁で機能する。
−  障壁の構成として上の実施形態の組み合わせを実行することができること明らかである。特に、図３の実施形態は、巻き線の間の中央部分に配置された障壁に関して、図１または図２の実施形態と組み合わすことができる。
【符号の説明】
【００２５】
１  第１コイル
２  第１コイルの内側巻き線
３  第１コイルの外側巻き線
４  第２コイル
５  第２コイルの内側巻き線
６  第２コイルの外側巻き線
７  コアリム
９〜１３、１５〜１９、２１〜２５、２７〜３１  障壁
３３、３６、３７、４０  障壁
３４、３５、３８、３９  絶縁環
４２、４５、４６、４９  障壁
４３、４４、４７、４８  絶縁環
５１、５２  障壁
Ａ１、Ａ２、Ａ３  ２つのコイル間の軸方向間隔
Ｂ  障壁突出量
Ｌ１、Ｌ２、Ｌ３  コイルリムの長さ
Ｕ  重複部分
Ｗ  巻き線軸
【図１】
2013522919.tif 000003
【図２】
2013522919.tif 000004
【図３】
2013522919.tif 000005
【図４】
2013522919.tif 000006
【国際調査報告】
2013522919.tif 000007
2013522919.tif 000008
2013522919.tif 000009
2013522919.tif 000010
2013522919.tif 000011
2013522919.tif 000012